(57)【要約】【課題】立ったままで、容易に、第２吸込具を、第１吸込具に装着できる電気掃除機用吸込具を提供する。【解決手段】底面に設けた吸込口（図示せず）より被掃除面上の塵埃を吸引する第１吸込具１１と、同じく被掃除面上の塵埃を吸引する機能を有すると共に上方から第１の吸込具１１に着脱自在に装着される第２吸込具１０と、走行用のローラー３６を備え、第２吸込具１０を第１吸込具１１より離脱させた時に、ロックレバー４４でローラー３６の回転をロックして、第１吸込具１１の被掃除面上での移動を規制するようにしたもので、第２吸込具１０を第１吸込具１１から離脱して、その第２吸込具１０で掃除を行なった後、再度第２吸込具１０を第１吸込具１１に装着する際、第１吸込具１１の被掃除面上での移動が規制されているので、第２吸込具１０を第１吸込具１１に容易に装着することができる。【選択図】図９
2008148909.tif 000002
【特許請求の範囲】
【請求項１】
底面に設けた吸込口より被掃除面上の塵埃を吸引する第１吸込具と、同じく被掃除面上の塵埃を吸引する機能を有すると共に上方から前記第１の吸込具に着脱自在に装着される第２吸込具とを備え、前記第２吸込具を前記第１吸込具より離脱させた時に、前記第１吸込具の前記被掃除面上での移動を規制するようにした電気掃除機用吸込具。
【請求項２】
第１吸込具に走行用のローラーを設け、第２吸込具を前記第１吸込具より離脱させた時に、前記ローラーの回転をロックして、前記第１吸込具の移動を規制するようにした請求項１に記載の電気掃除機用吸込具。
【請求項３】
第２吸込具を第１吸込具より離脱させた時に、前記第１吸込具の底面より突出し、被掃除面に当接するストッパーで、前記第１吸込具の移動を規制するようにした請求項１に記載の電気掃除機用吸込具。
【請求項４】
電動送風機を内蔵した電気掃除機本体と、請求項１〜３のいずれか１項に記載の電気掃除機用吸込具と、前記電気掃除機本体と前記電気掃除機用吸込具とを連通するホースを備えた電気掃除機。
【発明の詳細な説明】
【技術分野】
【０００１】
本発明は、第１吸込具と、第１吸込具に着脱自在に装着される第２吸込具からなる電気掃除機用吸込具と、電気掃除機に関するものである。
【背景技術】
【０００２】
従来のこの種の電気掃除機用吸込具として、通常の床面掃除用の第１吸込具と、家具間などの狭い場所を掃除するときに使用されると共に、第１吸込具に上方から着脱自在に装着される第２吸込具から構成され、第１吸込具の底面には、走行用の回転自在のローラーと、横長で被掃除面から塵埃を吸引するための第１の吸込口が配され、上面には、第２吸込具を収納する第２吸込具収納部が設けられ、第２吸込具の底面には、縦長で塵埃を吸引するための第２の吸込口が設けられ、第２吸込具の後端に、電気掃除機本体に連通接続された延長管に接続される接続パイプが左右、上下に回動自在に設けられ、第２吸込具を第１吸込具に装着したときに、第１の吸込口と第２の吸込口が連通するようにしたものがある。
【０００３】
通常の床面の掃除の時は、延長管に接続された第２吸込具を第１吸込具に装着して、延長管を前後、左右に操作して、第１吸込具を床面上で移動させながら掃除を行なう。
【０００４】
そして、家具間の狭いところを掃除するときは、第１吸込具に設けた操作レバーを踏み込んで、第１吸込具と第２吸込具との係止を解除し、第２吸込具を延長管に接続したまま第１吸込具から外して、直ちに第２吸込具で家具間の狭いところの掃除を行なうことができるようになっている。第２吸込具での掃除を終えた後、第２吸込具を延長管に接続したままで、第２吸込具を、第１吸込具に設けた第２吸込具収納部に押し込むと、第２吸込具が第１吸込具に係止され、再び通常の床面清掃ができるようになっている（例えば、特許文献１参照）。
【特許文献１】特開２００４−２８３２１６号公報
【発明の開示】
【発明が解決しようとする課題】
【０００５】
しかしながら、上記従来の電気掃除機用吸込具の構成では、第２吸込具での掃除を終えた後、延長管を持って、第２吸込具を第１吸込具に設けた第２吸込具収納部に押し込む際に、延長管が前下がり状になっており、しかも、第１吸込具の下面に走行用のローラーがあるため、第１吸込具が前方に移動してしまい、第２吸込具の装着が困難であった。このため、使用者は、足で第１吸込具を押さえつけながら、第２吸込具を第１吸込具に装着したり、それが困難なときは、しゃがんで、片手で第１吸込具を押さえつけ、もう片方でつかんだ第２吸込具を装着しなければならず、使用勝手が非常に悪いという課題があった。
【０００６】
第１吸込具として、床面への傷付きを防止するために、ローラーの代りに、底面に起毛布を貼着したものもあるが、やはり同様の課題があった。
【０００７】
本発明は、上記従来の課題を解決するもので、立ったままで、延長管に接続した第２吸込具を第１吸込具の所定の場所に容易に装着することができる使用勝手の良い電気掃除機用吸込具及び電気掃除機を提供することを目的とする。
【課題を解決するための手段】
【０００８】
上記従来の課題を解決するために、本発明の電気掃除機用吸込具は、底面に設けた吸込口より被掃除面上の塵埃を吸引する第１吸込具と、同じく被掃除面上の塵埃を吸引する機能を有すると共に上方から前記第１の吸込具に着脱自在に装着される第２吸込具とを備え、前記第２吸込具を前記第１吸込具より離脱させた時に、前記第１吸込具の前記被掃除面上での移動を規制するようにしたもので、第２吸込具を第１吸込具から離脱して、その第２吸込具で掃除を行なった後、再度第２吸込具を第１吸込具に装着する際、第１吸込具の被掃除面上での移動が規制されているので、立ったままで、延長管に接続した第２吸込具を第１吸込具に容易に装着することができる。
【０００９】
また、本発明の電気掃除機は、電動送風機を内蔵した電気掃除機本体と、請求項１〜３のいずれか１項に記載の電気掃除機用吸込具と、前記電気掃除機本体と前記電気掃除機用吸込具とを連通するホースを備えたもので、第２吸込具を第１吸込具から離脱して、その第２吸込具で掃除を行なった後、再度第２吸込具を第１吸込具に装着する際、第１吸込具の被掃除面上での移動が規制されているので、第２吸込具を第１吸込具に容易に装着することができるので、使用勝手の良い電気掃除機を提供することが出来る。
【発明の効果】
【００１０】
本発明の電気掃除機用吸込具及び電気掃除機は、立ったままで、延長管に接続した第２吸込具を第１吸込具に容易に装着することができ、使用勝手に優れたものである。
【発明を実施するための最良の形態】
【００１１】
第１の発明は、底面に設けた吸込口より被掃除面上の塵埃を吸引する第１吸込具と、同じく被掃除面上の塵埃を吸引する機能を有すると共に上方から前記第１の吸込具に着脱自在に装着される第２吸込具とを備え、前記第２吸込具を前記第１吸込具より離脱させた時に、前記第１吸込具の前記被掃除面上での移動を規制するようにしたもので、第２吸込具を第１吸込具から離脱して、その第２吸込具で掃除を行なった後、再度第２吸込具を第１吸込具に装着する際、第１吸込具の被掃除面上での移動が規制されているので、立ったままで、延長管に接続した第２吸込具を第１吸込具に容易に装着することができる。
【００１２】
第２の発明は、特に、第１の発明の第１吸込具に走行用のローラーを設け、第２吸込具を前記第１吸込具より離脱させた時に、前記ローラーの回転をロックして、前記第１吸込具の移動を規制するようにしたもので、走行用のローラーにより、第１吸込具の走行性が向上すると共に、そのローラーの回転をロックするという安価な構成で、第１吸込具の移動を規制することができる。
【００１３】
第３の発明は、特に、第１の発明の第２吸込具を第１吸込具より離脱させた時に、前記第１吸込具の底面より突出し、被掃除面に当接するストッパーで、前記第１吸込具の移動を規制するようにしたもので、簡単な構成で、第１吸込具の移動を規制することができる。
【００１４】
第４の発明は、電動送風機を内蔵した電気掃除機本体と、請求項１〜３のいずれか１項に記載の電気掃除機用吸込具と、前記電気掃除機本体と前記電気掃除機用吸込具とを連通するホースを備えたもので、第２吸込具を第１吸込具から離脱して、その第２吸込具で掃除を行なった後、再度第２吸込具を第１吸込具に装着する際、第１吸込具の被掃除面上での移動が規制されているので、第２吸込具を第１吸込具に容易に装着することができるので、使用勝手の良い電気掃除機を提供することが出来る。
【００１５】
以下、本発明の実施の形態について、図面を参照しながら説明する。なお、この実施の形態によって本発明が限定されるものではない。
【００１６】
（実施の形態１）
以下、本発明の第１の実施の形態における電気掃除機用吸込具について、図１〜１２を用いて説明する。図１は、本実施の形態における電気掃除機用吸込具を接続した電気掃除機の全体構成を示す斜視図である。
【００１７】
図１において、電気掃除機１は、掃除機本体７と、一端が、ホース継ぎ手５を介して掃除機本体７に接続され、他端に手元ハンドル４を有するホース６と、ホース６の手元ハンドル４に接続される延長管２とを備え、延長管２の上流側端部には、本実施の形態における電気掃除機用吸込具３（以下、「吸込具３」という）が接続されている。
【００１８】
吸込具３は、図２（ａ）、（ｂ）に示すように、前記延長管２に連結するための連結管９に回動連結部８を介して吸気ヘッド４０が接続された第２吸込具１０と、第２吸込具１０が上方から着脱自在に装着される第１吸込具１１から構成されている。
【００１９】
第１吸込具１１に対する第２吸込具１０の着脱は、第１吸込具１１に設けられた操作レバー１３を押し下げることにより、第２吸込具１０を把持する保持具１２の把持状態が解放されて、第２吸込具１０を第１吸込具１１から離脱させることができ、第２吸込具１０を用いて、家具間などの狭い場所の掃除ができ、保持具１２内に、第２吸込具１０を載せて軽く押圧することにより、第２吸込具１０は、第１吸込具１１に装着され、第１吸込具１１を用いて床などの被掃除面の掃除を効率よく行なうことができる。
【００２０】
上記第２吸込具１０は、図３（ａ）、（ｂ）、（ｃ）に示すように、第１吸込具１１への装着方向面となる下側面は円弧状に形成され、円弧軸方向に円弧頂点部位に起毛布（起毛体）１４が貼着され、その両側に下面吸気口１５が開口し、それぞれの脇にも起毛布１４が貼着されている。また、先端側には後述する第１吸込具１１の吸込口２３に連通する先端吸気口１６が開口し、第２吸込具１０が、第１吸込具１１から離脱している状態では、図４に示すように、前記先端吸気口１６は、バネ付勢された蓋体１８によって下面側の一部を残して閉じられる。
【００２１】
尚、１７は、後述する第１吸込具１１に設けられた回転ブラシ２０を回転駆動する電動機２１に給電接続するための左右一対の給電接点であって、掃除機本体７からの配線リード線（図示せず）がホース６、手元ハンドル４、延長管２を通じて、延長管２の先端に配線されており、第２吸込具１０の連結管９を延長管２に連結するときに、連結管９に設けられた給電部１９が延長管２の先端配線（図示せず）に電気的接続され、給電部１９から第２吸込具１０内を配線して前記給電接点１７に配線接続されている。
【００２２】
上記起毛布１４は、シート面上に細かい毛を密集起毛させたもので、下面吸気口１５の両側を封鎖して下面吸気口１５からの吸塵能力を向上させ、第２吸込具１０の動きに応じて被掃除面の凹部の塵埃を掻き出し、掃除面の塵埃を下面吸気口１５に導き、掃除面を拭く作用効果を発揮すると共に、家具や掃除面を傷つけないバンパーの作用も有するものである。この第２吸込具１０に適用するのに起毛布１４が最も望ましいものであるが、同形状のブラシ、フェルト等を用いることもできる。
【００２３】
尚、本実施の形態の構成においては、第２吸込具１０の下面吸気口１５は、２列に設けられているが、円弧の頂点部位に１列に設け、その両側に起毛布１４を配設するように構成することもできる。
【００２４】
上記第１吸込具１１は、図５に内部構成を示すように、所謂パワーノズルとして構成され、ブラシやブレードなどを回転軸に取り付けた回転ブラシ２０を、電動機２１によって回転駆動し、絨毯等から塵埃を掻き出す機能を備えている。前記電動機２１への給電は、第２吸込具１０が装着されることにより、第２吸込具１０に配設された一対の給電接点１７が、第１吸込具１１に配設された一対の受電接点２２に摺動接触することによりなされる。
【００２５】
ここで第２吸込具１０を、第１吸込具１１から取り外すと給電接点１７から受電接点２２が離れ、電動機２１への電源の供給がなくなり回転ブラシ２０の回転が停止する。再度第２吸込具１０を第１吸込具１１に取り付けると電動機２１への電源が供給され回転ブラシ２０は回転を開始する。このように第２吸込具１０を第１吸込具１１から取り外す動作で回転ブラシ２０の回転が止まるので次の動作にスムーズに移行でき、また取り外した第１吸込具１１の回転ブラシ２０で被掃除面を傷つけることもない。
【００２６】
また第２吸込具１０に設けた給電接点１７と、第１吸込具１１に設けた受電接点２２は上記回動連結部８より前方の第２吸込具１０が回動しない位置に取り付けているので両接点の電気的接続は確実にでき、耐久性の向上が図れる。
【００２７】
第１吸込具１１は、前記回転ブラシ２０を収容した横長の吸込口２３を形成した幅広の吸込部２４と、その中央部分から後方に突出する走行部２５とを設けて、平面形状がＴの字状に形成され、図６に示すように、上面側に走行部２５の後方端から吸込部２４にかけて第２吸込具収納凹部２６が形成されている。第２吸込具収納凹部２６内の前方側には前記吸込口２３に連通する連通口２７が開口されており、第２吸込具収納凹部２６に第２吸込具１０を装着すると、第２吸込具１０に形成された先端吸気口１６の蓋体１８が開き、前記連通口２７と先端吸気口１６との間が連通し、掃除機本体７への空気流路が形成される。
【００２８】
図７は、第１吸込具１１に第２吸込具１０を装着した状態を示す断面図で、第１吸込具１１に第２吸込具１０が装着されると、第２吸込具収納凹部２６内の前方側から後方側に向けて突出する開閉操作リブ（先端吸気口開閉手段）２８が、第２吸込具１０の先端吸気口１６をバネ付勢によって部分的に閉じていた蓋体１８を回動させ、図示するようにバネ付勢に抗して蓋体１８を開き、先端吸気口１６を全開状態にして、吸込口２３から連結管９に至る空気流路を形成する。また、第２吸込具１０の下面吸気口１５は、第２吸込具収納凹部２６の底面によって塞がれるので、第２吸込具１０を第１吸込具１１に装着した状態では、吸込口２３からの吸気のみとなり、第１吸込具１１による吸塵能力が損なわれない。
【００２９】
図６に示すように、第１吸込具１１に形成された第２吸込具収納凹部２６は、第２吸込具１０の高さ方向寸法と略同等の深さに形成されており、これに第２吸込具１０を収容すると、図２（ｂ）及び図７に示すように、第１吸込具１１の上面から第２吸込具１０が少し出るのみで、家具の下に空いた空間などに容易に挿入できる扁平な第１吸込具１１に構成することができる。また、第１吸込具１１の高さは、図２に示すように第２吸込具収納凹部２６の両側にローラー３６を配設したことによっても高さ減少の効果が得られている。
【００３０】
第１吸込具１１に設けられた操作レバー１３を下方に押し下げる（足先で踏む）と、第２吸込具１０を第１吸込具１１から離脱させることができる。図４に示すように、先端吸気口１６に設けられた蓋体１８は、前記開閉操作リブ２８による押圧がなくなるので、バネ付勢によって蓋体１８は、図示するように先端吸気口１６を閉じる。このとき、蓋体１８の上下方向寸法を先端吸気口１６の開口高さ寸法より小さくしておくことにより、下方を空けた状態で先端吸気口１６を部分的に閉じた状態が得られる。また、下面吸気口１５は開放状態になるので、先端吸気口１６の下方と複数の下面吸気口１５から連結管９に至る空気流路が形成され、第２吸込具１０による集塵機能が得られる。
【００３１】
次に、第１吸込具１１に対する第２吸込具１０の着脱構造について、図８〜図１１を参照して説明する。
【００３２】
図８において、第１吸込具１１に形成された第２吸込具収納凹部２６内には、その断面形状に沿うように第２吸込具着脱手段である保持具１２が配設されている。保持具１２は、その中央のヒンジ部分１２ａで左右一対に接続され、図８に示す解放状態と、図１０に示す把持状態とに切り換え操作することができ、その操作は、前記操作レバー１３の押し下げにより、図８に示す解放状態、即ち第２吸込具１０の離脱状態とし、保持具１２内に第２吸込具１０を押し入れることにより、図１０に示す把持状態、即ち第２吸込具１０の装着状態とすることができる。
【００３３】
３０は、一端に操作レバー１３を有し、他端に回動軸３０ａを有するロッドで、途中が支持部材３１で回動自在に軸支されている。３２は、保持具１２のヒンジ部分１２ａの中央部に配設された押圧部材２９とロッド３０とを連結する駆動部材で、下端が回動軸３０ａで回動自在に保持されている。なお、回動軸３０ａを駆動部材３２側に設け、その回動軸３０ａで、ロッド３０の一端を回動自在に保持してもよく、或いは、ロッド３０、駆動部材３２のそれぞれの端部に貫通孔（図示せず）を設け、その貫通孔に別部材で形成した回動軸３０ａを挿入して、ロッド３０と駆動部材３２間を回動自在に軸支しても良い。
【００３４】
４４は、一端が回動軸３０ａに回動自在に軸支されたロックレバーで、左右に配され、途中が第２支持部材４５で回動自在に軸支され、第２吸込具１０が第１吸込具１１から離脱した状態では、図９に示すように、それぞれのロックレバー４４の他端は、ローラー３６に圧接されて、ローラー３６の回転をロックすると共に、保持具１２は、中央のヒンジ部分１２ａから左右に展開した状態になっている。
【００３５】
第２吸込具１０の使用を終え、第２吸込具１０を、保持具１２内に押し入れると、ヒンジ部分１２ａの中央部に配設された押圧部材２９が、第２吸込具１０の円弧側面頂点部位の起毛布１４を前後に分割配置した間（ 図３参照）で押圧されて下がるので、保持具１２は、第２吸込具収納凹部２６の底面側に下り、図１０に示すように、第２吸込具１０の吸気ヘッド４０部位を包み込むように把持する。
【００３６】
前記押圧部材２９が下降する時は、それに連結された駆動部材３２が、支持部材３１で軸支されたロッド３０の一端を押し下げるので、ロッド３０の他端に設けられた操作レバー１３は、図１０に示すように上昇位置になると共に、図１１に示すように、ロックレバー４４のローラー３６側の端部が上昇し、ローラー３６は、ロックレバー４４による圧接から解放され、ローラー３６の回転が自由になる。
【００３７】
以上のように、上記押圧部材２９、ロッド３０、支持部材３１、駆動部材３２は、保持具１２と共に第２吸込具着脱手段３８を構成する。
【００３８】
本実施の形態では、保持具１２による第２吸込具１０の装着状態をより確実にするために、図示するように第２吸込具１０の両側面に外方に付勢された係止ピン３３を設け、これに対応して、保持具１２に係止凹部３４を形成している。これにより、第２吸込具１０が保持具１２内に押し入れられたとき、係止ピン３３が係止凹部３４内に嵌り込み、第１吸込具１１に対する第２吸込具１０の安定した装着状態が得られる。
【００３９】
尚、保持具１２には、第２吸込具１０に設けられた起毛布１４を収容するための起毛布収納凹部３５が形成され、第２吸込具１０の装着状態で起毛布１４が押し潰されてその機能が損なわれることを防止している。
【００４０】
図１０に示すような、第１吸込具１１に対する第２吸込具１０の装着状態から第２吸込具１０を離脱させるには、上昇位置にある操作レバー１３を押し下げると、ロッド３０が支持部材３１を支点として回動し、駆動部材３２により保持具１２のヒンジ部分１２ａを押し上げるので、保持具１２が左右に開きながら、同時に押圧部材２９によって第２吸込具１０が押し上げられ、第２吸込具１０を第１吸込具１１から離脱させることができる。
【００４１】
同時に、駆動部材３２が上昇するときに、第２支持部材４５を支点にロックレバー４４が回動し、ロックレバー４４のローラー３６側が降りて、ローラー３６に圧接されて、ローラー３６の回転が再びロックされる。
【００４２】
前述したように、第２吸込具１０には、吸気ヘッド４０と連結管９との間を左右方向に回動自在に連結する回動連結部８が設けられており、図２及び図７に示すように、第２吸込具１０が第１吸込具１１に装着された状態では、図１に示すように連結管９に延長管２を介して連結された手元ハンドル４の上げ下げに対応して、連結管９が、回動連結部８に対し上下回動し、また、手元ハンドル４を回動させる動き、即ち第１吸込具１１の進路方向を左右いずれかの方向に変更するハンドル操作がなされるときには、進路方向に手元ハンドル４を回動させる動きが自然になされるので、回動連結部８に回動力が加わると、第１吸込具１１の後方側に回動連結部８があるため、軸の回動方向に第１吸込具１１が回動する動きが働き、スムーズに第１吸込具１１の進路変更がなされる。
【００４３】
第２吸込具１０を、第１吸込具１１から離脱させた状態では、第２吸込具１０が回転方向に動くと扱い難くなるので、回動連結部８の回転方向の動きをロックする回転方向回動係止手段（図示せず）を、第２吸込具１０に設けるとよい。
【００４４】
前記回転方向回動係止手段を、バネ付勢された係止部材（図示せず）で構成し、第２吸込具１０が第１吸込具１１に装着された状態では、第１吸込具１１側に設けた係止解除手段（図示せず）によりバネ付勢に抗して前記係止部材を、回転方向回動の係止状態から外すように構成すると、第２吸込具１０が第１吸込具１１に装着された状態では回転方向回動係止手段は機能しないため、第１吸込具１１の上下及び回転方向の自在回動が可能となり、一方、第２吸込具１０を第１吸込具１１から離脱させると回転方向回動係止手段が機能して第２吸込具１０の回転方向の回動をロックさせて、第２吸込具１０を安定して使用することができる。
【００４５】
以上のように構成された吸込具３を用いた電気掃除機１は、第２吸込具１０を第１吸込具１１に装着した状態にすると、幅広の第１吸込具１１により一般的な電気掃除機と同様に被掃除面の掃除を効率よく行なうことができ、第１吸込具１１が入らないような狭い場所や階段などを掃除する場合は、操作レバー１３を足踏みすると、腰を屈めることなく第１吸込具１１から第２吸込具１０を離脱させることができ、第２吸込具１０を用いた掃除ができるので、吸込具を付け替える面倒な作業は解消される。また、第２吸込具１０を離脱させた第１吸込具１１は、被掃除面にあるので、任意に第１吸込具１１に第２吸込具１０を押し入れると即座に床掃除に変更することができる。
【００４６】
また、第２吸込具１０を第１吸込具１１から離脱して、その第２吸込具１０で掃除を行なった後、再度第２吸込具１０を第１吸込具１１に装着する際、ローラー３６の回転がロックレバー４４でロックされて、第１吸込具１１の被掃除面上での移動が規制されているので、第２吸込具１０を第１吸込具１１に容易に装着することができる。
【００４７】
第２吸込具１０を、第１吸込具１１から離脱させた状態で使用するとき、下面吸気口１５の形成面が円弧状に形成されていることにより、図１２に略図示するように、掃除面に対して自由な角度状態が得られ、特に、図１２（ｂ）に示すように、壁面や家具の立ち上がりのコーナー部分にも下面吸気口１５の吸気が作用してコーナー部分の塵埃を集塵除去することができる。
【００４８】
また、第２吸込具１０の先端吸気口１６は、前述したように第１吸込具１１からの離脱時に下側面側を残して蓋体１８によって閉じられるので先端吸気口１６の開口面積が縮小する結果、吸気流速が増加し、掃除面に近い側で開口するので、第２吸込具１０は、先端側からの集塵効果も得られ、より広範囲の掃除が可能となる。尚、先端吸気口１６は、蓋体１８により開口面積全体を閉じるように構成して下面吸気口１５からの吸気能力を増加させることもできる。
【００４９】
また、本実施の形態では、上記のように、第２吸込具１０を、手元ハンドル４の操作により第１吸込具１１に装着するとき、第１吸込具１１の走行用のローラー３６を支点として第１吸込具１１が立ち上がったりしないようにするため、第２吸込具１０に設けられた回動連結部８の回動支点より後方にローラー３６を配設している。
【００５０】
また、手元ハンドル付きの小型掃除機本体に短い管路で吸込具を取り付けたハンドクリーナと称される電気掃除機に本実施の形態における吸込具３を適用することもでき、ハンドクリーナとしての機能を向上させることができる。
【００５１】
（実施の形態２）
図１３は、本発明の第２の実施の形態における電気掃除機用吸込具の第２吸込具離脱時の断面図、図１４は、同第２吸込具装着時の断面図である。なお上記第１の実施の形態における電気掃除機用吸込具と同一部分については、同一符号を付してその説明を省略する。
【００５２】
上記第１の実施の形態では、第２吸込具１０を第１吸込具１１から離脱したときに、ロックレバー４４でローラー３６の回転をロックして、第１吸込具１１の移動を規制するようにしたが、本実施の形態は、第２吸込具１０を第１吸込具１１から離脱したときに、第１吸込具１１の底面からストッパー４７の一端を突出させ、それを床面に当接させることで、第１吸込具１１の移動を規制するようにしたものである。
【００５３】
図１３において、駆動部材３２とロッド３０を回動自在に軸支する回動軸３０ａに、一対の略Ｌ字状のストッパー４７のそれぞれの端部を回動自在に軸支し、ストッパー４７のそれぞれの他端を、被掃除面に対向するように配し、更に、ストッパー４７のそれぞれの途中を、第２支持部材４５で回動自在に軸支したものである。第１吸込具１１の底面１１ａには、ストッパー４７の先端が出没できるように開口部１１ｂが設けられている。また、ストッパー４７の被掃除面側端部には、摩擦力が大きい高摩擦部材４７ａが固着されている。
【００５４】
以上のように構成された本実施の形態における電気掃除機用吸込具の動作、作用は、以下の通りである。
【００５５】
第２吸込具１０が、第１吸込具１１から離脱しているときは、図１３に示すように、押圧部材２９と共に駆動部材３２が上方に位置し、これによりストッパー４７の被掃除面側端部が被掃除面に当接している。
【００５６】
次に、第２吸込具１０の使用を終え、第２吸込具１０を、保持具１２内に押し入れると、図１４に示すように、押圧部材２９が、第２吸込具１０の円弧側面頂点部位の起毛布１４を前後に分割配置した間（ 図３参照）で押圧されて下がり、それにより保持具１２が、第２吸込具収納凹部２６の底面側に下り、第２吸込具１０の吸気ヘッド４０部位を包み込むように把持する。
【００５７】
この押圧部材２９の下降と共に、それに連結された駆動部材３２が支持部材３１に軸支されたロッド３０の一端を押し下げるので、ロッド３０の他端に設けられた操作レバー１３は、図１４に示すように上昇位置になると共に、ストッパー４７が第２支持部材４５で軸支された部分を支点に回動し、ストッパー４７の被掃除面側端部が被掃除面から離反し、第１吸込具１１の移動規制が解除され、第１吸込具１１を自由に動かせるようになるものである。
【００５８】
以上のように、本実施の形態によれば、第２吸込具１０を第１吸込具１１に装着する際、ストッパー４７の先端が被掃除面に当接して、第１吸込具１１の被掃除面上での移動が規制されているので、第２吸込具１０を第１吸込具１１に容易に装着することができる。
【００５９】
また、ストッパー４７の被掃除面に当接する端部に高摩擦部材を４７ａを固着しているので、第２吸込具１０を第１吸込具１１の第２吸込具収納部２６に収納する際、第１吸込具１１の移動規制を確実に行うことができる。
【００６０】
本実施の形態におけるストッパー４７は、特に、床面への傷付きを防止するために、ローラー３６の代りに、底面に起毛布（図示せず）を貼着した第１吸込具に有効である。
【産業上の利用可能性】
【００６１】
以上のように、本発明に係る電気掃除機用吸込具及び電気掃除機は、立ったままで、第２吸込具を第１吸込具の所定の場所に容易に装着することができ、使用勝手が良いもので、家庭用、業務用、店舗用などの各種電気掃除機に適用できるものである。
【図面の簡単な説明】
【００６２】
【図１】本発明の実施の形態１における電気掃除機用吸込具を接続した電気掃除機の全体構成を示す斜視図
【図２】（ａ）同電気掃除機用吸込具の平面図、（ｂ）同電気掃除機用吸込具の側面図
【図３】（ａ）同電気掃除機用吸込具の第２吸込具の側面図、（ｂ）同第２吸込具の下面図、（ｃ）同第２吸込具の正面図
【図４】同第２吸込具の断面図
【図５】同電気掃除機用吸込具の第１吸込具の内部構成を示す平面図
【図６】同第１吸込具に対する第２吸込具の着脱を説明する斜視図
【図７】同第１吸込具に第２吸込具を装着した状態を示す断面図
【図８】同第２吸込具の着脱構造を説明する部分断面図（第２吸込具が離脱した状態）
【図９】図２のＡ−Ａ断面図（第２吸込具が離脱した状態）
【図１０】同第２吸込具の着脱構造を説明する部分断面図（第２吸込具が装着された状態）
【図１１】図２のＡ−Ａ断面図（第２吸込具が装着された状態）
【図１２】同第２吸込具によるコーナー部の吸塵を説明する概略図
【図１３】本発明の実施の形態２における電気掃除機用吸込具の部分断面図（第２吸込具が離脱した状態）
【図１４】同電気掃除機用吸込具の部分断面図（第２吸込具が装着された状態）
【符号の説明】
【００６３】
３    電気掃除機用吸込具（吸込具）
７    掃除機本体
１０  第２吸込具
１１  第１吸込具
２３  吸込口
３６  ローラー
４７  ストッパー
【図１】
2008148909.tif 000003
【図２】
2008148909.tif 000004
【図３】
2008148909.tif 000005
【図４】
2008148909.tif 000006
【図５】
2008148909.tif 000007
【図６】
2008148909.tif 000008
【図７】
2008148909.tif 000009
【図８】
2008148909.tif 000010
【図９】
2008148909.tif 000011
【図１０】
2008148909.tif 000012
【図１１】
2008148909.tif 000013
【図１２】
2008148909.tif 000014
【図１３】
2008148909.tif 000015
【図１４】
2008148909.tif 000016